(57)【要約】      （修正有）【課題】単一または複数のタイプの多数の放射照明モジュールを保持するサポートを備えるディスプレイを提供する。【解決手段】単一または複数のタイプの多数の放射照明モジュールを保持するサポートを備えるディスプレイであって、非直線的幾何学的形状、任意選択により、三角形、長方形、五角形、六角形、または八角形の幾何学的形状の機械的パッケージングの前記放射照明モジュールが実現され、それによって、前記サポートは、２次元または３次元形状を持つことができる。ディスプレイ・タイル・アセンブリ２００は４つの長方形のディスプレイ・モジュール１２０からなる平面状アセンブリの例であり、照らされるフロア・タイルとすることができるディスプレイである。【選択図】図２Ａ
2006106764.tif 000002
【特許請求の範囲】
【請求項１】
単一または複数のタイプの多数の放射照明モジュールを保持するサポートを備えるディスプレイであって、非直線的幾何学的形状、任意選択により、三角形、長方形、五角形、六角形、または八角形の幾何学的形状の機械的パッケージングの前記放射照明モジュールが実現され、前記サポートは、２次元または３次元形状を持つことができ、任意選択により、ディスプレイ・タイル・アセンブリ、煉瓦アセンブリ、ポール・アセンブリ、ケーブル・アセンブリ、ストリップ・アセンブリ、格子アセンブリ、直付けディスプレイ・アセンブリ、取り付けカーテン・アセンブリ・セクションおよび／またはカーテン・バー・メカニズムとすることができるディスプレイ。
【請求項２】
前記ディスプレイは大規模ディスプレイである請求項１に記載のディスプレイ。
【請求項３】
前記機械的パッケージングおよび前記サポートは、非直線的な周囲を持つディスプレイを構築できるようなものである請求項１に記載のディスプレイ。
【請求項４】
前記機械的パッケージングおよび前記サポートは、前記ディスプレイの非平面幾何学的形状、任意選択により、丸天井形、鞍形、またはその他の湾曲した形状を構築できるようなものである請求項１に記載のディスプレイ。
【請求項５】
前記サポートにより保持される前記放射照明モジュールは、不規則なピッチが得られるように不均一な方法で配分される請求項１に記載のディスプレイ。
【請求項６】
前記機械的パッケージングは、非直線的幾何学的形状、任意選択により、三角形、長方形、五角形、六角形、または八角形の幾何学的形状を持つ請求項１に記載のディスプレイ内で使用するための放射照明モジュールの機械的パッケージング。
【請求項７】
非直線的幾何学的形状、任意選択により、三角形、長方形、五角形、六角形、または八角形の幾何学的形状を持つ機械的パッケージングの前記放射照明モジュールが実現される請求項１に記載のディスプレイ内で使用するための放射照明ディスプレイ・モジュール。
【請求項８】
ディスプレイ・タイル・アセンブリ、煉瓦アセンブリ、ポール・アセンブリ、ケーブル・アセンブリ、ストリップ・アセンブリ、格子アセンブリ、直付けディスプレイ・アセンブリ、取り付けカーテン・アセンブリ・セクションおよび／またはカーテン・バー・メカニズムとすることができる請求項１に記載のディスプレイ内で使用するためのサポート。
【発明の詳細な説明】
【技術分野】
【０００１】
本発明は、放射照明ディスプレイ・モジュールのパッケージング幾何学的形状および大規模ディスプレイ・アプリケーションを使用可能にする対応するサポート・メカニズムに関するものである。特に、本発明は、適応型サポート・フレームワーク、および非直交大規模ディスプレイ幾何学的形状を実現する非直線的ディスプレイ・モジュール・パッケージに関するものである。
【背景技術】
【０００２】
従来の白熱灯、蛍光灯、およびネオン管は、多くの大規模商用および公共標識の照明として長い間使用されてきた。しかし、市場では、現在、ディスプレイのサイズおよび色をカスタマイズできる柔軟性を持ち、照明、イメージ、およびビデオ機能を備え、特に一時的な会場で使用するために設置、保守、および解体が容易な、より安価で、より大型のディスプレイが要求されており、これらは、旧来の技術では不可能な市場スペックである。そのため、多くのディスプレイは、現在、発光ダイオード（ＬＥＤ）、または有機発光ダイオード（ＯＬＥＤ）、または他の放射ディスプレイ技術などの放射照明モジュールを利用している。放射ディスプレイ・モジュールは、消費電力が少なく、寿命がかなり長く、保守コストも低いため、従来の照明モジュールによりも有利である。しかし、固体照明を使用する方法は、大規模ディスプレイ・アプリケーションではまだ比較的新しく、したがって、集積化大規模ディスプレイを作成するために照明モジュール用のサポート・フレームワークを実現する必要がある。
【０００３】
放射ディスプレイ技術は、現在、屋外または屋内スタジアム・ディスプレイ、大きなマーケティング広告ディスプレイ、および大衆向け広報ディスプレイなどのモジュール式大規模ディスプレイ・アプリケーションに応用されている。これらの大規模ディスプレイの構成は、多くの場合、柔軟性を欠いており、ディスプレイの幾何学的形状およびサポート・フレームワークはわずかしかないため、広告掲示板などの標準的な直線的ディスプレイとなっている。さらに、これらのディスプレイは、必ずしも、組み立てまたは保守の容易さの観点から設計されてはおらず、せいぜい、設計の実施段階の後になってからアクセスの容易さが考慮されることが多い。そこで、さまざまな多くの非平面的幾何学的形状に構成することが可能なサポート・フレームワークを実現する必要がある。さらに、周囲が非直線的であるさまざまな大規模ディスプレイを作成するためにサポート・フレームワークに固定できるさまざまなフォーム・ファクタおよびパッケージング幾何学的形状を有する照明モジュールを実現する必要がある。
【０００４】
構成可能な大規模ディスプレイの一実施例は、「Ｓｅｃｔｉｏｎａｌ  ｄｉｓｐｌａｙ  ｓｙｓｔｅｍ」という表題の米国特許第６，３１４，６６９号を参照して説明される。米国特許第６，３１４，６６９号では、内部に配置されているディスプレイ・モジュールおよびその他の構成要素にアクセスしやすくするサポート・フレームワーク内に収められたディスプレイ・ユニットの平面マトリクスを詳述している。この設計では、モジュール式ディスプレイ素子およびその他の構成要素の交換を素早く行うことができる。しかし、米国特許第６，３１４，６６９号では、内壁または外壁および天井を包むように配置される丸天井形、鞍形、またはその他の湾曲したディスプレイなどの大規模非平面ディスプレイを作成する手段を提供していない。
【０００５】
米国特許第６，３１４，６６９号では、さらに、ディスプレイ素子の間隔がディスプレイ・システムの長さおよび幅にそって一定であり、整合性がとれるように、照明モジュールを一様に配する必要もある。これは、独自の照明効果を出すために、または風荷重を最小にするために、不規則なピッチを必要とする多くのディスプレイ設計では問題になる可能性がある。そこで、不規則なピッチにするために不均一な形で照明モジュールを配置できるサポート・フレームワークを実現する必要がある。
【特許文献１】「Ｓｅｃｔｉｏｎａｌ  ｄｉｓｐｌａｙ  ｓｙｓｔｅｍ」という表題の米国特許第６，３１４，６６９号
【発明の開示】
【発明が解決しようとする課題】
【０００６】
本発明は、放射ディスプレイ・モジュールのパッケージング幾何学的形状および大規模ディスプレイ・アプリケーションで使用するための随伴するサポート・メカニズムに関するものである。特に、本発明は、適応型サポート・フレームワーク、および合わせて非直交大規模ディスプレイを形成する非直線的ディスプレイ・モジュール・パッケージに関するものである。
【０００７】
本発明の目的は、集積化大規模ディスプレイを作成するための照明モジュール用のサポート・フレームワークを実現することである。
【０００８】
本発明の他の目的は、さまざまな多くの非平面的幾何学的形状に構成することが可能なサポート・フレームワークを実現することである。
【０００９】
本発明のさらに他の目的は、周囲が非直線的であるさまざまな大規模ディスプレイを作成するためにサポート・フレームワークに固定できるさまざまなフォーム・ファクタおよびパッケージング幾何学的形状を有する照明モジュールを実現することである。
【００１０】
本発明のさらに他の目的は、不規則なピッチにするために不均一な形で照明モジュールを配置できるサポート・フレームワークを実現することである。
【課題を解決するための手段】
【００１１】
この目的に関して、本発明は、単一または複数のタイプの多数の放射ディスプレイ・モジュールを保持するサポートを備えるディスプレイに関しており、これにより非直線的幾何学的形状、任意選択により三角形、長方形、五角形、六角形、または八角形の幾何学的形状の機械的パッケージングの放射ディスプレイ・モジュールが実現され、それによって、前記サポートは、２次元または３次元形状を持つことができ、任意選択により、ディスプレイ・タイル・アセンブリ、煉瓦アセンブリ、ポール・アセンブリ、ケーブル・アセンブリ、ストリップ・アセンブリ、格子アセンブリ、直付けディスプレイ・アセンブリ、取り付けカーテン・アセンブリ・セクションおよび／またはカーテン・バー・メカニズムとすることができる。
【００１２】
本発明は、さらに、上述のようなパッケージング、および、上述のように、ディスプレイ内で使用できる、非直線的幾何学的形状、任意選択により、三角形、長方形、五角形、六角形、または八角形の幾何学的形状を持つ、パッケージングの備えられる放射ディスプレイ・モジュールに関するものである。
【００１３】
本発明は、さらに、本発明によるディスプレイ内で使用できるサポートを取り扱うものであり、そのようなサポートは、ディスプレイ・タイル・アセンブリ、煉瓦アセンブリ、ポール・アセンブリ、ケーブル・アセンブリ、ストリップ・アセンブリ、格子アセンブリ、直付けディスプレイ・アセンブリ、取り付けカーテン・アセンブリ・セクションおよび／またはカーテン・バー・メカニズムとすることができる。
【００１４】
ディスプレイの好ましい一実施形態では、不規則なピッチになるように、サポートにより保持される放射照明モジュールを不均一な方法で配分することができる。
【００１５】
本発明の特長をわかりやすく示すために、付属の図面を参照しつつ、いかなる形でも限定することなく、本発明によるディスプレイ内で使用できる、機械パッケージングおよびサポートのいくつかの好ましい実施形態を示す。
【発明を実施するための最良の形態】
【００１６】
図１Ａから図１Ｅは、本発明によるさまざまなディスプレイ・モジュール・タイプを示す斜視図である。ディスプレイ・モジュールは、大規模ディスプレイの最小のユーザ構成可能照明素子であり、放射照明素子１００のアレイに電力を供給し、駆動するために必要なすべての電子回路を備える。ディスプレイ・モジュールは、さまざまなパッケージング輪郭のものがありえる。三角形のディスプレイ・モジュール１１０は、例えば、６個の放射照明素子１００のアレイを含む三角形の照明モジュールである。長方形のディスプレイ・モジュール１２０は、例えば、９個の放射照明素子１００の３×３アレイを含む長方形の照明モジュールである。五角形のディスプレイ・モジュール１３０は、例えば、６個の放射照明素子１００のアレイを含む五角形の照明モジュールである。
【００１７】
六角形のディスプレイ・モジュール１４０は、例えば、７個の放射照明素子１００のアレイを含む六角形の照明モジュールである。八角形のディスプレイ・モジュール１５０は、例えば、１１個の放射照明素子１００のアレイを含む八角形の照明モジュールである。
【００１８】
作動中、複数のディスプレイ・モジュールがサポート・フレームワーク（図に示されていない）内で相互接続され、ディスプレイ制御モジュール（図に示されていない）を使用して操作されるモジュール式大規模ディスプレイ（図に示されていない）を形成する。図１Ａから１Ｅは、放射照明素子１００のアレイの多数の実施例を例示しているが、実際のアレイ・サイズおよび形状は、それらのアレイ実施例に限定されない。
【００１９】
図２Ａおよび２Ｂは、ディスプレイ・タイル・アセンブリ２００のそれぞれ平面図および斜視図を例示している。ディスプレイ・タイル・アセンブリ２００は、例えば、４つの長方形のディスプレイ・モジュール１２０からなる平面状アセンブリであり、照らされるフロア・タイルとして使用するのに好適である。ディスプレイ・タイル・アセンブリ２００は、大面積の傾斜したディスプレイ、例えば、フロア全体を覆うディスプレイを形成する一組のタイル・アセンブリ内で動作する。単一のディスプレイ・タイル・アセンブリ２００は、多数の、例えば４つの、長方形のディスプレイ・モジュール１２０と、保護ガラス・カバー２１０を含む。ディスプレイ・タイル・アセンブリ２００内のディスプレイ・モジュール１２０は、アプリケーションに応じて、互いに接触するように配置するか、または互いの位置から一定の距離または任意の距離のところに配置することができる。
【００２０】
作動中、複数のタイル・アセンブリ２００が相互接続され、ディスプレイ制御モジュール（図に示されていない）を使用して操作される大規模ディスプレイ全体（図に示されていない）を形成する。
【００２１】
図３は、本発明による煉瓦アセンブリ３００の見える側の斜視図である。煉瓦アセンブリ３００は、自律的ディスプレイとして使用するのに好適であるか、またはそれとは別に、一組の煉瓦アセンブリ３００内で動作し、より大型のディスプレイ（図に示されていない）を形成することもできる。煉瓦アセンブリ３００は、多数の、例えば２つの、長方形のディスプレイ・モジュール１２０、フェースプレート３１０、駆動回路プリント基板（ＰＣＢ）３２０、ヒート・シンク３３０、サービス（発光ダイオード）ＬＥＤ  ３４０、バックアップ・バッテリ３５０、クーリング・ファン３６０、およびディスプレイ筐体３７０を含む。
【００２２】
フェースプレート３１０は、長方形のディスプレイ・モジュール１２０を中に入れた保護ガラス・カバーである。駆動回路ＰＣＢ  ３２０は、個々の放射照明素子１００のオン、オフを切り換え、ディスプレイの輝度を制御する電子回路を含む。ヒート・シンク３３０およびクーリング・ファン３６０は、煉瓦アセンブリ３００内の温度を調整する熱管理構成要素である。サービスＬＥＤ  ３４０は、ユーザ保守要員が読み取ることが可能であり、煉瓦アセンブリ３００内の故障を指示する。バックアップ・バッテリ３５０は、補助電源を備えており、停電が発生した場合に、電源が落ちる前に煉瓦アセンブリ３００がディスプレイ構成設定を格納できる。
【００２３】
作動中、駆動回路ＰＣＢ  ３２０は、データ・ケーブル（図に示されていない）を使用してコントローラ・モジュール（図に示されていない）から制御信号を受信し、信号を使用してディスプレイ全体の一部分を形成する長方形のディスプレイ・モジュール１２０の照明をアクティブ化し、変調する。大規模ディスプレイは、煉瓦アセンブリ３００のアレイ、例えば、大規模ウォール・ディスプレイから構成される。
【００２４】
図４Ａおよび図４Ｂは、本発明によるポール・アセンブリ４００の斜視図である。ポール・アセンブリ４００は、多数のディスプレイ・モジュール、例えば、単一の垂直面上に垂直な方向に積み重ねた長方形のディスプレイ・モジュール１２０を含む。ポール・アセンブリ４００は、さらに、ポール・サポート部材４１０、データおよび電力を長方形のディスプレイ・モジュール１２０に伝送するために使用されるケーブル配線（図に示されていない）、およびディスプレイ・タイルをポールに固定する機械的手段（図に示されていない）も含む。
【００２５】
ポール・アセンブリ４００は、ポールの複数の垂直面に取り付けられた長方形のディスプレイ・モジュール１２０を備えることもできる。さらに、ポールの単一の垂直面は、長方形のディスプレイ・モジュール１２０の複数の垂直スタック（図に示されていない）を含むことができる。ポール・アセンブリ４００上に取り付けられた個々の長方形のディスプレイ・モジュール１２０の間の距離は可変である。ポール・アセンブリ４００は、例えば、一端を地面に固定することにより現場据え付けされる。ポール・アセンブリ４００を固定する他の手段も、図４Ｂに示されているように、可能である。
【００２６】
作動中、ポール・アセンブリ４００は、ディスプレイのそれぞれの放射照明素子の照明レベルを決定するデータ・ケーブル（図に示されていない）を使用してコントローラ・モジュール（図に示されていない）から制御信号を受信する。その後、ポール・アセンブリ４００が点灯し、ポール・アセンブリ４００の可視イメージを出力する。
【００２７】
図５は、本発明によるケーブル・アセンブリ５００の斜視図である。ケーブル・アセンブリ５００は、多数のディスプレイ・モジュール、例えば、取り付けケーブル５１０上に直線的に組み立てられた４つの長方形のディスプレイ・モジュール１２０を含む。さらに、電気ケーブル配線（図に示されていない）を使用して、データおよび電力を長方形のディスプレイ・モジュール１２０に伝送し、またこれは、長方形のディスプレイ・モジュール１２０をポール（図に示されていない）上に取り付ける手段である。作動中、並列動作している複数のケーブル・アセンブリ５００は、ディスプレイ制御モジュール（図に示されていない）を使用して操作される大規模ディスプレイ全体（図に示されていない）を形成する。
【００２８】
図６Ａおよび６Ｂは、本発明による、ストリップ・アセンブリ６００のそれぞれ側面図および正面図を例示している。ストリップ・アセンブリ６００は、ストリップ取り付けサブアセンブリ６１０上に直線的に固定された多数の、例えば９つの長方形のディスプレイ・モジュール１２０を含む。他のディスプレイ・モジュール幾何学的形状、例えば、三角形のディスプレイ・モジュール１１０、五角形のディスプレイ・モジュール１３０、六角形のディスプレイ・モジュール１４０、または八角形のディスプレイ・モジュール１５０を使用することが可能である。ストリップ取り付けサブアセンブリ６１０は、長方形のディスプレイ・モジュール１２０をしっかりと保持しながら、その一方で、柔軟性を持ち、それによって、ストリップ・アセンブリ６００を曲げてさまざまな形態にし、多数の非直交３次元曲面、例えば、球面、錐面、または樽形面を実現できる柔軟な材料、例えば、ポリマーのストリップである。ストリップ取り付けサブアセンブリ６１０は、さらに、データおよび電力接続部をストリップ上で互いに隣接する長方形のディスプレイ・モジュール１２０に相互接続するためのケーブル配線（図に示されていない）も備える。また、ストリップ・アセンブリ６００が柔軟であるため、長いストリップのコンパクトなパッケージング（図に示されていない）が可能である。ストリップ・アセンブリ６００は、さまざまな長さおよび幅を持ちうる。湾曲した形状を含む、他のストリップ形状および設計も可能である。
【００２９】
図７Ａおよび図７Ｂは、横方向にそって複数のストリップ・アセンブリ６００を結合する固定メカニズム７００の正面図を例示している。図７Ａは、ストリップ固定メカニズム７１０を示しており、これは、コード７２０、例えばポリマー・ロープにより複数のストリップ・アセンブリ６００を結合して１つにする。それとは別に、図７Ｂは、ストリップ固定メカニズム７１２を示している。ストリップ固定メカニズム７１２は、ジッパー７３０または類似のメカニズム（図に示されていない）を使用して結合され１つにまとめられる多数のストリップ・アセンブリ６００を例示している。作動中、大規模ディスプレイ全体（図に示されていない）は、多数のストリップ・アセンブリ６００を一緒に並列に操作することにより形成される。
【００３０】
図８Ａから８Ｄは、本発明による格子アセンブリ８００を示している。格子アセンブリ８００は、複数のディスプレイ・モジュールを取り付けるために使用される構造フレームワークであり、例えば、押し出し成形アルミニウム管の格子で形成される。格子アセンブリ８００は、ビルの壁（図には示されていない）などの大きな構造表面に取り付けるように設計されている。格子アセンブリ８００は、平面および複雑な非平面の両方を作成するためにさまざまな３次元幾何学的形状を採用することができる。図８Ａおよび８Ｂは、長方形の格子アセンブリ８１０を示している。長方形の格子アセンブリ８１０は、フラット・ディスプレイ用の長方形のディスプレイ・モジュール１２０を搬送するように設計された平面的および直線的フレームワークである。長方形の格子アセンブリ８１０の他の非平面的構成も可能である。図８Ｃおよび８Ｄは、六角形の格子アセンブリ８１２を示している。六角形の格子アセンブリ８１２は、六角形のディスプレイ・モジュール１４０を保持するように設計された蜂巣状構造である。図８Ｃおよび８Ｄに示されているように、六角形の格子アセンブリ８１２は、不規則な外形を持つ非平面的ディスプレイを実装する。全体として、六角形の格子アセンブリ８１２は、半円筒ボールト、ドーム、鞍形状、または非一様な３次元形状（図に示されていない）などの大きな非平面的ディスプレイを実装することができる。
【００３１】
作動中、格子アセンブリ８００は、ディスプレイのそれぞれの放射照明素子の照明レベルを決定するデータ・ケーブル（図に示されていない）を使用してコントローラ・モジュール（図に示されていない）から制御信号を受信する。その後、格子アセンブリ８００が点灯し、大規模なディスプレイを形成する。
【００３２】
図９Ａは、本発明による直付けディスプレイ・アセンブリ９００を例示する。直付けディスプレイ・アセンブリ９００は、直付けディスプレイ・エンクロージャ９１０、ちょうつがいメカニズム９１２、取り付けアタッチメント９１４、ビルの壁９１６、およびコントローラ９１８で形成される。図９Ｂは、直付けディスプレイ・アセンブリ９１０の斜視図を示しており、複数のディスプレイ・モジュール、例えば、６つの長方形のディスプレイ・モジュール１２０を含む、直付けディスプレイ・エンクロージャ９１０を備える。
【００３３】
直付けディスプレイ・アセンブリ９００は、例えば、保守または取り外しが簡単に行えるように、ディスプレイ角度を容易に調整できるようにするちょうつがいメカニズム９１２を通じて取り付けられた直付けディスプレイ・エンクロージャ９１０で形成される。直付けディスプレイ・アセンブリ９００は、取り付けアタッチメント９１４を通じてビルの壁９１６に固定される。コントローラ９１８は、ビルの壁９１６の内側に取り付けることができ、ディスプレイ・アセンブリ９００の動作に必要なディスプレイ制御機能および電源を備える。
【００３４】
作動中、複数の直付けディスプレイ・アセンブリ９００は、ディスプレイのそれぞれの放射照明素子の照明レベルを決定するデータ・ケーブル（図に示されていない）を使用してコントローラ９１８から制御信号を受信する。その後、直付けディスプレイ・アセンブリ９００が点灯し、大規模なディスプレイを形成する。
【００３５】
図１０Ａは、本発明による取り付けカーテン・アセンブリ・セクション１０００を例示する。取り付けカーテン・アセンブリ・セクション１０００は、１つのカーテン１０１０および多数のディスプレイ・モジュール、例えば、６つの長方形のディスプレイ・モジュール１２０で形成される。取り付けカーテン・アセンブリ・セクション１０００は、多数の取り付けカーテン・アセンブリ・セクション１０００を含むことができる大規模ディスプレイ全体（図に示されていない）の一部である。
【００３６】
図１０Ｂは、本発明によるカーテン・アセンブリ・ディスプレイ取り付け部１０１１を示す斜視図である。カーテン・アセンブリ・ディスプレイ取り付け部１０１１は、カーテン１０１０上に複数の、例えば、４つのプッシュボタン・リセプタクル１０１２を備え、「スナップ・インプレース」プッシュ・ボタン１０１４を使用することで、この上に長方形のディスプレイ・モジュール１２０が載る。それとは別に、長方形のディスプレイ・モジュール１２０は、ネジ穴付き埋め込みボルト（図に示されていない）を使用し、カーテン１０１０上の「ボタン穴」（図には示されていない）に通し、ナット（図には示されていない）を使用して適所に固定することにより、カーテン１０１０に取り付けることができる。カーテン１０１０の縫いつけられたポケット（図に示されていない）など、長方形のディスプレイ・モジュール１２０を取り付ける多数の他の手段も可能である。他のディスプレイ・モジュール幾何学的形状、例えば、三角形のディスプレイ・モジュール１１０、五角形のディスプレイ・モジュール１３０、六角形のディスプレイ・モジュール１４０、または八角形のディスプレイ・モジュール１５０を使用することも、取り付けカーテン・アセンブリ・セクション１０００を使用することにより可能である。さらに他の効果も可能であり、例えば、カーテン１０１０の布地に従来のようにプリントし、照明またはイメージ強化のため長方形のディスプレイ・モジュール１２０を使用するバナーまたは広告掲示板を作成することができる。
【００３７】
カーテン１０１０の形状および寸法はさまざまである。さらに、例えば、プッシュ・ボタン１０１４を使用することにより、ディスプレイ・モジュール、例えば、長方形のディスプレイ・モジュール１２０をいくつでもカーテンに取り付けることができる。ディスプレイのピッチは、さまざまな距離のところにある長方形のディスプレイ・モジュール１２０をカーテン１０１０に選択的に配置することにより修正することができる。取り付け時に、ディスプレイ・モジュールをカーテン１０１０に通し、電線をその後に隠す。それとは別に、カーテン１０１０は、「サンドイッチ状」構成とすることができ、例えば、制御信号および電力用の電気的相互接続を行うためのケーブル（図には示されていない）を通すことができる縫い付けた溝とともに第２層を加えることができる。
【００３８】
図１１Ａは、本発明によるカーテン・バー・メカニズム１１００を例示している。カーテン・バー・メカニズム１１００は、カーテン・バー１１１０の間に取り付けられている、カーテン１０１０からなる。カーテン・バー１１１０は、アタッチメント１１１２を使用して壁、天井、または類似の固定された表面（図には示されていない）に固定される。
【００３９】
図１１Ｂは、カーテン・バー・メカニズム１１００内に含まれる、データおよび電源ケーブル１１１４を示している。データおよび電源ケーブル１１１４は、例えば、壁の中に、またはアタッチメント１１１２のところに目立たずに取り付けられているコントローラ・ボックス（図には示されていない）と接続する。カーテン・バー１１１０は、ピクセル・ピッチに影響を及ぼさない間隔で並べられる。
【００４０】
作動中、複数の取り付けカーテン・アセンブリ・セクション１０００は、ディスプレイのそれぞれの放射照明素子の照明レベルを決定するデータ・ケーブル（図に示されていない）を使用してコントローラ・アセンブリから制御信号を受信する。その後、取り付けカーテン・アセンブリ１０００が点灯し、大規模なディスプレイを形成する。
【００４１】
本発明は、放射照明ディスプレイ・モジュールの多数のパッケージング幾何学的形状と対応するサポート・メカニズムである。したがって、集積化大規模ディスプレイを作成するために、さまざまな照明モジュール用のサポート・フレームワークが実現される。本発明のパッケージング幾何学的形状は、三角形のディスプレイ・モジュール１１０、長方形のディスプレイ・モジュール１２０、五角形のディスプレイ・モジュール１３０、六角形のディスプレイ・モジュール１４０、および八角形のディスプレイ・モジュール１５０を含む。そのため、周囲が非直線的であるさまざまな平面的または非平面的な大規模ディスプレイを作成するためにサポート・フレームワークに固定できるさまざまなフォーム・ファクタおよびパッケージング幾何学的形状を有する照明モジュールが用意される。本発明のサポート・メカニズムは、ディスプレイ・タイル・アセンブリ２００、煉瓦アセンブリ３００、ポール・アセンブリ４００、ケーブル・アセンブリ５００、ストリップ・アセンブリ６００、固定メカニズム７００、格子アセンブリ８００、直付けディスプレイ・アセンブリ９００、取り付けカーテン・アセンブリ・セクション１０００、およびカーテン・バー・メカニズム１１００を含む。したがって、さまざまな多数の平面的または非平面的幾何学的形状に構成されることが可能な、大規模ディスプレイを作成するため単一または複数のタイプの多数のディスプレイ・モジュールを保持する多数のサポート・フレームワークが実現され、また不規則なピッチにできるように不均一な形で照明モジュールを配置することが可能なサポート・フレームワークの実例が示される。
【００４２】
本発明は、上で説明され、付属の図面で表されている実施形態に決して限定されず、それどころか、本発明によるディスプレイ内で使用できるそのような機械的パッケージングおよびサポートは、本発明の範囲内にありながら、あらゆる種類の変更形態で作成することができる。
【図面の簡単な説明】
【００４３】
【図１Ａ】本発明によるさまざまなディスプレイ・モジュール・タイプを示す斜視図である。
【図１Ｂ】本発明によるさまざまなディスプレイ・モジュール・タイプを示す斜視図である。
【図１Ｃ】本発明によるさまざまなディスプレイ・モジュール・タイプを示す斜視図である。
【図１Ｄ】本発明によるさまざまなディスプレイ・モジュール・タイプを示す斜視図である。
【図１Ｅ】本発明によるさまざまなディスプレイ・モジュール・タイプを示す斜視図である。
【図２Ａ】それぞれ、本発明による照らされるフロア・タイルとして使用するためのディスプレイ・タイル・アセンブリを示す平面図および斜視図である。
【図２Ｂ】それぞれ、本発明による照らされるフロア・タイルとして使用するためのディスプレイ・タイル・アセンブリを示す平面図および斜視図である。
【図３】本発明によるより大きなディスプレイで使用するための煉瓦アセンブリの見える側を示す斜視図である。
【図４Ａ】本発明によるポール・ディスプレイ・アセンブリを示す斜視図である。
【図４Ｂ】本発明によるポール・ディスプレイ・アセンブリを示す斜視図である。
【図５】本発明によるケーブル・ディスプレイ・アセンブリを示す斜視図である。
【図６Ａ】本発明によるストリップ・アセンブリを示す斜視図である。
【図６Ｂ】本発明によるストリップ・アセンブリを示す斜視図である。
【図７Ａ】本発明による複数のストリップ・アセンブリを結合する固定メカニズムを示す斜視図である。
【図７Ｂ】本発明による複数のストリップ・アセンブリを結合する固定メカニズムを示す斜視図である。
【図８Ａ】本発明による複数のディスプレイ・モジュールを取り付けるための格子アセンブリを示す斜視図である。
【図８Ｂ】本発明による複数のディスプレイ・モジュールを取り付けるための格子アセンブリを示す斜視図である。
【図８Ｃ】本発明による複数のディスプレイ・モジュールを取り付けるための格子アセンブリを示す斜視図である。
【図８Ｄ】本発明による複数のディスプレイ・モジュールを取り付けるための格子アセンブリを示す斜視図である。
【図９Ａ】本発明による直付けディスプレイ・アセンブリを示す図である。
【図９Ｂ】本発明による直付けディスプレイ・エンクロージャを示す図である。
【図１０Ａ】本発明による取り付けカーテン・アセンブリ・セクションを示す図である。
【図１０Ｂ】本発明によるカーテン・アセンブリ・ディスプレイ取り付け部を示す図である。
【図１１Ａ】本発明によるカーテン・バー・メカニズムを示す図である。
【図１１Ｂ】本発明によるカーテン・バー・メカニズムに含まれるデータおよび電源ケーブルを示す図である。
【符号の説明】
【００４４】
１００  放射照明素子
１１０  三角形のディスプレイ・モジュール
１２０  長方形のディスプレイ・モジュール
１３０  五角形のディスプレイ・モジュール
１４０  六角形のディスプレイ・モジュール
１５０  八角形のディスプレイ・モジュール
２００  ディスプレイ・タイル・アセンブリ
２１０  保護ガラス・カバー
３００  煉瓦アセンブリ
３１０  フェースプレート
３２０  駆動回路プリント基板（ＰＣＢ）
３３０  ヒート・シンク
３４０  サービス（発光ダイオード）ＬＥＤ
３５０  バックアップ・バッテリ
３６０  クーリング・ファン
３７０  ディスプレイ筐体
４００  ポール・アセンブリ
４１０  ポール・サポート部材
５００  ケーブル・アセンブリ
５１０  取り付けケーブル
６００  ストリップ・アセンブリ
６１０  ストリップ取り付けサブアセンブリ
７００  固定メカニズム
７１０  ストリップ固定メカニズム
７１２  ストリップ固定メカニズム
７２０  コード
７３０  ジッパー
８００  格子アセンブリ
８１０  長方形の格子アセンブリ
８１２  六角形の格子アセンブリ
９００  直付けディスプレイ・アセンブリ
９１０  直付けディスプレイ・エンクロージャ
９１２  ちょうつがいメカニズム
９１４  取り付けアタッチメント
９１６  ビルの壁
９１８  コントローラ
１０００  取り付けカーテン・アセンブリ・セクション
１０１０  カーテン
１０１１  カーテン・アセンブリ・ディスプレイ取り付け部
１０１２  プッシュボタン・リセプタクル
１０１４  「スナップ・インプレース」プッシュ・ボタン
１１００  カーテン・バー・メカニズム
１１１０  カーテン・バー
１１１２  アタッチメント
１１１４  電源ケーブル
【図１Ａ】
2006106764.tif 000003
【図１Ｂ】
2006106764.tif 000004
【図１Ｃ】
2006106764.tif 000005
【図１Ｄ】
2006106764.tif 000006
【図１Ｅ】
2006106764.tif 000007
【図２Ａ】
2006106764.tif 000008
【図２Ｂ】
2006106764.tif 000009
【図３】
2006106764.tif 000010
【図４Ａ】
2006106764.tif 000011
【図４Ｂ】
2006106764.tif 000012
【図５】
2006106764.tif 000013
【図６Ａ】
2006106764.tif 000014
【図６Ｂ】
2006106764.tif 000015
【図７Ａ】
2006106764.tif 000016
【図７Ｂ】
2006106764.tif 000017
【図８Ａ】
2006106764.tif 000018
【図８Ｂ】
2006106764.tif 000019
【図８Ｃ】
2006106764.tif 000020
【図８Ｄ】
2006106764.tif 000021
【図９Ａ】
2006106764.tif 000022
【図９Ｂ】
2006106764.tif 000023
【図１０Ａ】
2006106764.tif 000024
【図１０Ｂ】
2006106764.tif 000025
【図１１Ａ】
2006106764.tif 000026
【図１１Ｂ】
2006106764.tif 000027